(57)【特許請求の範囲】
【請求項１】
径方向外側に向けて突出する環状の外向き凸部と径方向内側に向けて突出する環状の内向き凸部とを長手方向に沿って交互に備えるフレキシブル管の端部に装着自在で、かつ、前記フレキシブル管を挿通状態に設置する挿通孔に予め挿通させた索状体が接続自在に構成されたフレキシブル管挿通用治具であって、
前記フレキシブル管の内部において前記外向き凸部または前記内向き凸部に係合する係合部の係合により、フレキシブル管の端部に装着自在に形成されて、フレキシブル管長手方向視にて、その外径がフレキシブル管の外径と同径もしくはほぼ同径またはフレキシブル管の外径よりも小径に形成され、
前記係合部が、前記フレキシブル管の内部において前記外向き凸部及び前記内向き凸部に係合する複数の凸条を外周面に備える２個の係合部材を備えて構成され、
前記２個の係合部材が、前記複数の凸条の並び方向に沿うピンの周りで揺動自在でかつ拡径方向に弾性付勢された状態で、且つ、弾性力に抗して互いに接近させて前記フレキシブル管の内部に挿入可能な状態で設けられているフレキシブル管挿通用冶具。
【請求項２】
前記係合部が、拡径方向へ移動した状態で、その係合部の拡径方向への移動を保持する保持手段が設けられている請求項１に記載のフレキシブル管挿通用治具。
【発明の詳細な説明】
【０００１】
【発明の属する技術分野】
本発明は、径方向外側に向けて突出する環状の外向き凸部と径方向内側に向けて突出する環状の内向き凸部とを長手方向に沿って交互に備えるフレキシブル管の端部に装着自在で、かつ、前記フレキシブル管を挿通状態に設置する挿通孔に予め挿通させた索状体が接続自在に構成されたフレキシブル管挿通用治具に関する。
【０００２】
【従来の技術】
このようなフレキシブル管挿通用治具は、従来、図７および図８に示すように、有底の円筒体を２つ割りにした一対の係合部材３１を備え、各係合部材３１の内周面にフレキシブル管１の外側への凸部１ａと内側への凸部１ｂとに係合する凸条３１ａを設け、フレキシブル管１に被覆された保護管４の一部を剥がした状態で、一対の係合部材３１をフレキシブル管１に外嵌し、その一対の係合部材３１にさらに有底円筒形のキャップ部材３２を外嵌するとともに、キャップ部材３２と保護管４とにわたって防食テープ１６を巻き付けて、各係合部材３１に取付けた補助ワイヤ１２を介して操作用のワイヤ１５を連結し、図９に示すように、ワイヤ１５を引張り操作することにより、フレキシブル管１を挿通する挿通孔、例えば、コンクリート３内に埋設された鞘管２内にフレキシブル管１を挿通するように構成されていた。
【０００３】
【発明が解決しようとする課題】
このようにして、従来の挿通用治具では、フレキシブル管１に対する係合部として機能する一対の係合部材３１をフレキシブル管１の外側に外嵌する構成であったので、両係合部材３１の外径Ａが、フレキシブル管１の外径Ｂよりも大径となり、さらに、その係合部材３１の外側にキャップ部材３２を外嵌するので、キャップ部材３２の外径Ｃが、フレキシブル管１の外径Ｂに対して相当大径となり、そのため、ワイヤ１５を引張り操作して、フレキシブル管１を鞘管２内に挿通する際、治具が鞘管２の内面に引っ掛かり、フレキシブル管１の挿通作業が円滑に行かないという欠点があった。
【０００４】
勿論、大径の鞘管２を使用すれば、フレキシブル管１の挿通作業を円滑に行うことはできるが、それでは鞘管２に要するコストが高くなるため、通常、フレキシブル管１の外径Ｂに対して、若干大きい内径を有する鞘管２を使用するのが一般的であり、そのため、上述のような問題点があった。
【０００５】
本発明は、このような従来の問題点に着目したもので、その目的は、フレキシブル管を挿通する挿通孔の内径が、フレキシブル管の外径に対して極端に大きくなくとも、フレキシブル管の挿通作業を円滑に、かつ、比較的短時間で行い得るフレキシブル管挿通用治具の提供にある。
【０００６】
【課題を解決するための手段】
この目的を達成するため、請求項１に記載の発明によれば、挿通用治具が、フレキシブル管の内部においてフレキシブル管の外向き凸部または内向き凸部に係合する係合部の係合により、フレキシブル管の端部に装着自在に形成されて、フレキシブル管長手方向視にて、その外径がフレキシブル管の外径と同径もしくはほぼ同径またはフレキシブル管の外径よりも小径に形成され、前記係合部が、前記フレキシブル管の内部において前記外向き凸部及び前記内向き凸部に係合する複数の凸条を外周面に備える２個の係合部材を備えて構成され、前記２個の係合部材が、前記複数の凸条の並び方向に沿うピンの周りで揺動自在でかつ拡径方向に弾性付勢された状態で、且つ、弾性力に抗して互いに接近させて前記フレキシブル管の内部に挿入可能な状態で設けられている。
つまり、挿通用治具をフレキシブル管の端部に装着するに際し、前記係合部をフレキシブル管の内部において、前記外向き凸部または内向き凸部に係合させて装着するので、挿通用治具の外径をフレキシブル管の外径よりも小径に構成することも可能となる。そして、挿通用治具の外径を最大でもフレキシブル管の外径と同径もしくはほぼ同径程度に形成することにより、フレキシブル管を挿通する挿通孔の内径を殊更大きくしなくとも、フレキシブル管挿通時における挿通孔内面への引っ掛かりを少なくして、フレキシブル管の挿通作業を円滑に行うことができ、そのため、挿通作業に要する時間の短縮も可能となる。
【０００７】
また、請求項１に記載の発明によれば、前記係合部が、拡径方向へ移動するように弾性的に付勢されているので、挿通用治具をフレキシブル管の端部に装着する際、前記係合部を弾性力に抗して縮径状態にしてフレキシブル管内部に挿入し、その後、前記係合部を弾性的に拡径方向へ移動させて装着することができ、フレキシブル管端部への装着作業も、容易、迅速に行うことができる。
【０００８】
請求項２に記載の発明によれば、前記係合部が、拡径方向へ移動した状態で、その係合部の拡径方向への移動を保持する保持手段が設けられているので、前記係合部を弾性力のみによりフレキシブル管の外向き凸部または内向き凸部に係合させるのに比べ、フレキシブル管に対する係合部の係合がより確実かつ強固となり、フレキシブル管の挿通作業時に係合部が不測に外れるような事態の発生を確実に防止することができるとともに、係合部を拡径方向へ移動させるための弾性力を小さくすることができるので、上述したフレキシブル管端部への装着作業を一層容易に行うことができる。
【００１１】
【発明の実施の形態】
本発明によるフレキシブル管挿通用治具の主たる実施の形態を図面に基づいて説明する。
この挿通用治具は、図１から図４に示すように、例えば、フレキシブル管の一例であるステンレス製のガス管１を合成樹脂で形成された可撓性の鞘管２内に挿通するために使用されるもので、その可撓性を備えた鞘管２は、一般住宅などの建屋を構築する際、ガス管１の配管径路に沿って適宜湾曲させた状態で予めコンクリート３内に埋設されたり、天井裏や床下などに配設されている。
その鞘管２の内部に挿通されるガス管１は、径方向外側に向けて突出する環状の外向き凸部１ａと、径方向内側に向けて突出する環状の内向き凸部１ｂとをその長手方向に沿って交互に備え、かつ、その外側には、合成樹脂製の保護管４が外嵌されている。
【００１２】
前記挿通用治具は、図１に分解して示すように、ガス管１の内部に挿入可能な係合部としての２個の係合部材５，６を備え、各係合部材５，６の外周面には、外側へ突出する複数の凸条５ａ，６ａが一体的に設けられ、各係合部材５，６の凸条５ａ，６ａが、ガス管１の内部において外向き凸部１ａや内向き凸部１ｂに係合可能に構成されている。
そのため、各係合部材５，６は、円筒体をその長手方向に沿って２つに分割し、かつ、その２つの係合部材５，６をほぼ真円状にした状態で、図３に示すように、両係合部材５，６の間に隙間７が形成されるように構成されている。
【００１３】
各係合部材５，６の長手方向における中間部の内周面には、一端側に貫通孔８ａを備え、他端側に切欠き８ｂを備えた鍔部８が、係合部材５，６の長手方向に若干位置をずらせた状態で一体的に形成され、両鍔部８の貫通孔８ａにピン９を挿通することにより、両係合部材５，６が、ピン９の周りに互いに揺動し得るように構成されている。
そして、そのピン９には、つる巻きばね１０が巻き付けられ、かつ、つる巻きばね１０の両端が、各鍔部８の切欠き８ｂに係止されていて、両係合部材５，６が、つる巻きばね１０の弾性力により、前記ピン９を中心として互いに拡径方向に弾性付勢されている。
【００１４】
このような係合部材５，６をガス管１の内部に挿入した状態で、両係合部材５，６の一部がガス管１から突出するように構成され、その突出部分に対して、キャップ部材１１が、外嵌状態で取付け可能に設けられている。
このキャップ部材１１は、先端側が球状に構成され、その先端側に２つのワイヤ取付け孔１１ａが穿設されていて、各孔１１ａに両端部に抜け止め１２ａを備えた１本の補助ワイヤ１２の端部が挿通されて取付けられている。
このキャップ部材１１の周囲には、ねじ孔１１ｂが４つ穿設され、かつ、各ねじ孔１１ｂにねじ１３が螺合されていて、各ねじ１３を締め込んで、係合部材５，６に穿設されたねじ孔５ｂ，６ｂに螺合することにより、両係合部材５，６の相対位置を保持するように構成されている。つまり、キャップ部材１１やねじ１３が、両係合部材５，６を拡径方向へ移動させた状態で、その拡径方向への移動を保持する保持手段として機能するように構成されている。
【００１５】
このような構成からなる挿通用治具をガス管１の端部に装着するには、人為力により両係合部材５，６をつる巻きばね１０の弾性力に抗して互いに接近させてガス管１の内部に挿入し、かつ、両係合部材５，６の外周部に設けられた凸条５ａ，６ａが、ガス管１の外向き凸部１ａに対向するように位置させて人為力を解除する。
すると、両係合部材５，６が、つる巻きばね１０の弾性力によって拡径方向へ揺動移動し、図２や図３に示すように、各係合部材５，６外周部の複数の凸条５ａ，６ａが、ガス管１の内部において外向き凸部１ａや内向き凸部１ｂに係合する。
【００１６】
両係合部材５，６の凸条５ａ，６ａが、ガス管１の外向き凸部１ａや内向き凸部１ｂに係合した状態で、両係合部材５，６にキャップ部材１１を外嵌し、ねじ１３を締め込んで、キャップ部材１１に対して両係合部材５，６を固定し、必要に応じて、フレキシブル管１の保護管４の一部を剥ぎ取り、かつ、防食テープ１６をキャップ部材１１と保護管４とにわたって巻き付けて装着する。
ただし、保護管４については、必ずしも剥ぎ取る必要はなく、また、防食テープ１６についても、必ずしも必要なものではない。
【００１７】
このようにして、フレキシブル管１の端部に挿通用治具を装着した状態においては、図２に示すように、フレキシブル管１の長手方向視において、係合部としての係合部材５，６の外径Ａが、フレキシブル管１の外径Ｂよりも小径となり、キャップ部材１１の外径Ｃが、フレキシブル管１の外径Ｂとほぼ同径で、保護管４の外径Ｄよりも小径になるように構成されている。
なお、この図２から明らかなように、キャップ部材１１の外径Ｃを更に小径にすることは可能であり、したがって、キャップ部材１１の外径Ｃをフレキシブル管１の外径Ｂよりも小径にして実施することもできる。
【００１８】
つぎに、この挿通用治具を使用して、ガス管１を鞘管２内に挿通する手順について説明する。
まず、図４の（イ）に示すように、建屋のコンクリート３内に埋設されたり、あるいは、天井裏や床下などに配設された鞘管２の一端開口部から、先端に取付け具１４を備えた引張り操作用の索状体としてワイヤ１５を予め挿通しておいて、取付け具１４を鞘管２の他端開口部から突出させておく。
その突出させた取付け具１４に、図４の（ロ）に示すように、補助ワイヤ１２を結び付けるとともに、上述した手順に従って、挿通用治具をガス管１の端部に装着する。
【００１９】
その後、図４の（ハ）に示すように、ワイヤ１５の他端側を人力で引張る、あるいは、図外のウインチなどで巻き取ることにより、ワイヤ１５を引張り操作し、ガス管１を鞘管２内に挿通するのである。
その際、上述したように、キャップ部材１１の先端側が球状に構成され、しかも、挿入用治具のうちで最も径の大きいキャップ部材１１の外径でさえ、ガス管１の外径Ｂとほぼ同径で、かつ、保護管４の外径Ｄよりも小径に構成されているので、たとえ鞘管２が湾曲して配設されていても、挿入用治具が鞘管２の内面に引っ掛かる虞れも少なく、ガス管１の挿通作業を円滑に行うことができる。
【００２０】
〔別実施形態〕
つぎに、本発明によるフレキシブル管挿通用治具の別の実施形態につき、図５から図６に基づいて説明するが、重複説明を避けるため、先の実施形態と同じ作用を有する部品については、同じ部品番号を付すことにより、その説明を省略し、主として先の実施形態と異なる構成についてのみ説明する。
ただし、防食テープ１６については、特に図示はしないが、必要に応じて巻き付けるものとする。
【００２１】
（１）図５および図６に示したのは、上述した主たる実施形態を若干改良したもので、両係合部材５，６に一体的に形成された取付け片５ｃ，６ｃにワイヤ取付け孔５ｄ，６ｄが穿設され、各取付け片５ｃ，６ｃの孔５ｄ，６ｄに抜け止め１２ａを備えた補助ワイヤ１２が挿通されて取付けられ、キャップ部材１１に穿設の孔１１ａに対しては、単に補助ワイヤ１２が挿通しているだけの状態とされている。
【００２２】
さらに、キャップ部材１１には、両係合部材５，６の間に生じる隙間７内に挿入可能なスペーサ１１ｃが一体的に設けられ、両係合部材５，６にキャップ部材１１を外嵌した状態で、図６の（ロ）に示すように、キャップ部材１１のスペーサ１１ｃが、両係合部材５，６間の隙間７内に位置して、両係合部材５，６の相対位置を保持するように構成されている。
つまり、この実施形態においては、キャップ部材１１とねじ１３に加えて、スペーサ１１ｃも、両係合部材５，６を拡径方向へ移動させた状態で、その拡径方向への移動を保持する保持手段として機能するように構成されている。
【００３１】
（２）これまでの実施形態では、フレキシブル管の一例としてガス供給用のガス管１を例に説明したが、ガス管以外にも、水道管や下水管、あるいは、給湯管など、各種のフレキシブル管挿通用に適用することができる。
また、フレキシブル管を挿通するための挿通孔として、鞘管２を例に説明したが、建屋のコンクリート内部や壁面内部に直接設けられた挿通孔にフレキシブル管を挿通する際にも実施可能である。
さらに、これまでの実施形態では、係合部としての係合部材５，６の外径Ａをフレキシブル管としてのガス管１の外径Ｂよりも小径に構成した例のみを示したが、例えば、係合部の一部をガス管１の外向き凸部に噛み込ませるようにして、係合部の外径Ａをガス管１の外径Ｂと同径もしくはほぼ同径になるように構成することもできる。
【図面の簡単な説明】
【図１】  フレキシブル管挿通用治具の分解斜視図
【図２】  フレキシブル管挿通用治具の縦断面図
【図３】  フレキシブル管挿通用治具の横断面図
【図４】  フレキシブル管挿通の手順を示す説明図
【図５】  フレキシブル管挿通用治具の別の実施形態を示す分解斜視図
【図６】  フレキシブル管挿通用治具の別の実施形態を示す要部の斜視図と縦断面図
【図７】  フレキシブル管挿通用治具の従来例を示す分解斜視図
【図８】  フレキシブル管挿通用治具の従来例を示す縦断面図
【図９】  従来のフレキシブル管挿通時の状態を示す説明図
【符号の説明】
１                    フレキシブル管
１ａ                  外向き凸部
１ｂ                  内向き凸部
５，６           係合部
１１，１１ｃ，１３    保持手段
１５                  索状体
Ａ                    係合部の外径
Ｂ                    フレキシブル管の外径
【図１】
0003933318.tif 000002
【図２】
0003933318.tif 000003
【図３】
0003933318.tif 000004
【図４】
0003933318.tif 000005
【図５】
0003933318.tif 000006
【図６】
0003933318.tif 000007
【図７】
0003933318.tif 000008
【図８】
0003933318.tif 000009
【図９】
0003933318.tif 000010